(57)【要約】【課題】電気光学装置において、歩留りを向上させると共に高品質な画像表示を行う。【解決手段】電気光学物質を挟持する一対の第１基板及び第２基板と、第１基板及び第２基板の一方の基板上における画素領域に、画素部毎に形成された第１電極と、一方の基板上において、画素部に、第１電極を制御するための第１の能動素子を含む第１の画素回路と、一方の基板又は第１及び第２基板のうち他方の基板上において、画素領域に、画素部毎に、第１電極に対応して形成された第２電極と、一方の基板又は他方の基板上において、第２電極に対応して画素部に形成されると共に、対応する第２電極を制御するための第２の能動素子を含む第２の画素回路とを備える。【選択図】図６
2007140479.tif 000002
【特許請求の範囲】
【請求項１】
電気光学物質を挟持する一対の第１基板及び第２基板と、
前記第１基板及び前記第２基板の一方の基板上における画素領域に、画素部毎に形成された第１電極と、
前記一方の基板上において、前記画素部に、前記第１電極を制御するための第１の能動素子を含む第１の画素回路と、
前記一方の基板又は前記第１基板及び前記第２基板のうち他方の基板上において、前記画素領域に、前記画素部毎に、前記第１電極に対応して形成された第２電極と、
前記一方の基板又は前記他方の基板上において、前記第２電極に対応して前記画素部に形成されると共に、対応する前記第２電極を制御するための第２の能動素子を含む第２の画素回路と
を備えることを特徴とする電気光学装置。
【請求項２】
前記第１電極に供給される第１の信号を供給すると共に、前記第２電極に供給される第２の信号を供給する信号供給回路を更に備えること
を特徴とする請求項１に記載の電気光学装置。
【請求項３】
前記画素領域に形成された前記複数の画素部のうち、不良が生じた不良画素部を指定する不良画素データが記憶された不良情報格納部を更に備えており、
前記信号供給回路は、前記不良情報格納部に記憶された前記不良セルデータに基づいて、前記不良画素部における前記第１電極及び前記第２電極間の電圧を補正するために、前記第２の信号を調整して、前記第２の画素回路に供給すること
を特徴とする請求項２に記載の電気光学装置。
【請求項４】
前記信号供給回路は、前記不良画素部において、前記第１の信号の電位を前記第２の信号の電位として前記第２の画素回路に供給することを特徴とする請求項３に記載の電気光学装置。
【請求項５】
前記第１電極は、前記第１の信号によって、基準電位に対して正極性及び負極性のいずれかの電位とされると共に、
前記第２電極は、前記第２の信号によって、前記第１電極と異なる極性の電位とされること
を特徴とする請求項２に記載の電気光学装置。
【請求項６】
前記第２電極は、前記他方の基板上に形成されることを特徴とする請求項１から５のいずれか一項に記載の電気光学装置。
【請求項７】
前記第２の画素回路は、前記他方の基板上に形成されていることを特徴とする請求項１から６のいずれか一項に記載の電気光学装置。
【請求項８】
前記一方の基板上に、前記第１画素電極に電気的に接続された第１蓄積容量を更に備え、
前記他方の基板上に、前記第２画素電極に電気的に接続された第２蓄積容量を更に備え、
該第２蓄積容量、前記第２電極及び前記第２の画素回路は、前記他方の基板上に形成されていることを特徴とする請求項６又は７に記載の電気光学装置。
【請求項９】
前記第１の能動素子及び前記第２の能動素子の少なくとも一方は、薄膜トランジスタで構成されていることを特徴とする請求項１から８のいずれか一項に記載の電気光学装置。
【請求項１０】
請求項１から９のいずれか一項に記載の電気光学装置を具備してなることを特徴とする電子機器。
【発明の詳細な説明】
【技術分野】
【０００１】
本発明は、例えば液晶装置等の電気光学装置及びそのような電気光学装置を具備してなる例えば液晶プロジェクタ等の電子機器の技術分野に関する。
【背景技術】
【０００２】
この種の電気光学装置によれば、特許文献１に開示されているように、一対の素子基板及び対向基板間に、電気光学物質の一例である液晶が挟持されることにより構成される。
素子基板上における複数の画素が配列されてなる画素領域或いは画素アレイ領域には、走査線及びデータ線の交差に対応して画素電極を含む画素部が形成されることにより、複数の画素部がマトリクス状に平面配列される。
【０００３】
そして、各画素部には、画素スイッチング素子として、例えば薄膜トランジスタ（Ｔｈｉｎ Ｆｉｌｍ Ｔｒａｎｓｉｓｔｏｒ；以下適宜、“ＴＦＴ”と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。
【０００４】
他方、対向基板において素子基板と対向する側には、典型的には、画素領域の概ね全体にベタ一面に、複数の画素部に共通に対向電極がベタ状に形成される。電気光学装置の駆動時、対向電極は所定電位に維持され、各画素部では、画素電極及び対向電極間の電位差に基づく印加電圧が液晶に印加される。この際、例えば、画像信号は、基準電位に対して、正極性及び負極性のいずれかに極性反転されて画素電極に供給されると共に、対向電極の電位は、画像信号の極性反転に同期して基準電位に対して極性反転されて、画像信号の電位と異なる極性となるように駆動される。尚、本明細書ではこのような駆動方法を、反転駆動の一種である「コモン振り駆動」と称して説明することもある。
【０００５】
より具体的には、このようなコモン振り駆動によれば、走査線に沿って配列された同一行の画素電極を同一極性の電位で、且つ相隣接する行の画素電極を互いに異なる極性の電位で駆動しつつ、係る電位極性を行毎にフレーム又はフィールド周期（即ち１垂直期間周期或いは１垂直走査周期）で反転させる、所謂「ライン反転駆動」が行われる。或いは画素領域の複数の画素部において夫々、画素電極を同一極性の電位で駆動しつつ、係る電位極性を１垂直期間周期で反転させる、所謂「面反転駆動」が行われることもある。この面反転駆動においても、ライン反転駆動と同様に、例えば行毎に、画素電極の電位が線順次に極性反転されることとなる。
【０００６】
【特許文献１】特開２００５−１０７５４８号公報
【発明の開示】
【発明が解決しようとする課題】
【０００７】
しかしながら、上述したような電気光学装置によれば、その製造時、各画素部において、画素スイッチング素子を介した、走査線及びデータ線と画素電極間の電気的経路に不良が発生すると、例えば点欠陥により歩留りが低下するという問題点がある。
【０００８】
また、前述したようなコモン振り駆動では、対向電極の電位を極性反転させる際に、対向電極を充放電するために多量の電流を要する。よって、対向電極を高速に駆動させることが困難となるという問題点がある。また、これにより、対向電極の電位が安定せずに、各画素部で画像信号に基づく印加電圧を、安定して液晶に印加することが困難となる不都合も生じる。
【０００９】
更に、対向電極の電位の極性反転のタイミングに対して、各画素部における画素電極の電位の極性反転のタイミングは互いに異なる。よって、各画素部では、対向電極の電位変動に伴い、画素スイッチング素子でスイッチング制御される画素電極の電位が高くなる、所謂「プッシュアップ」が生じたり、これとは逆に、画素スイッチング素子でスイッチング制御される画素電極の電位が低くなる、所謂「プッシュダウン」が生じたりする。よって、各画素部では、画素スイッチング素子における、ソース−ドレイン間耐圧特性、オフ電流特性等の素子特性を高める必要がある。その結果、各画素部において、画素スイッチング素子を形成するための領域を確保するために、微細化が困難となると共に開口率も低下する。尚、「開口率」とは、各画素の全領域（即ち、開口領域及びそれ以外の非開口領域）に占める開口領域の面積割合をいう。
【００１０】
加えて、各画素部では、開口領域からの光漏れにより、通常、非開口領域に配置される画素スイッチング用のＴＦＴにおいて、光リーク電流が生じることがある。このような光リークの程度は、ＴＦＴの性質上、画素電極を正極性で駆動する場合と、負極性で駆動する場合とでは異なってくる。よって、画素電極を正極性で駆動する場合と、負極性で駆動する場合とでは、電気光学物質に印加される印加電圧が無視し得ない程度に変化することにより、反転駆動に係る反転周期に呼応したフリッカが発生し、画像表示の品質が劣化するという問題点もある。
【００１１】
本発明は上記問題点等に鑑みてなされたものであり、歩留りを向上させると共に、高品質な画像表示を行うことが可能な電気光学装置及びこのような電気光学装置を具備してなる電子機器を提供することを課題とする。
【課題を解決するための手段】
【００１２】
本発明の電気光学装置は上記課題を解決するために、電気光学物質を挟持する一対の第１基板及び第２基板と、前記第１基板及び前記第２基板の一方の基板上における画素領域に、画素部毎に形成された第１電極と、前記一方の基板上において、前記画素部に、前記第１電極を制御するための第１の能動素子を含む第１の画素回路と、前記一方の基板又は前記第１基板及び前記第２基板のうち他方の基板上において、前記画素領域に、前記画素部毎に、前記第１電極に対応して形成された第２電極と、前記一方の基板又は前記他方の基板上において、前記第２電極に対応して前記画素部に形成されると共に、対応する前記第２電極を制御するための第２の能動素子を含む第２の画素回路とを備える。
【００１３】
本発明の電気光学装置において、一対の第１及び第２基板は、例えば電気光学物質である液晶を介して、互いに対向配置される。そして、これら一対の基板の各々において、他方の基板と対向する側において、画素領域には、所定パターンで複数の画素部が配列されて形成される。各画素部には、一対の基板のうち一方の基板上に、第１電極が形成されると共に該第１電極を駆動するための第１の画素回路が形成される。第１の画素回路は、例えばＴＦＴである第１の能動素子を含み、第１電極は、第１の能動素子によって制御されることにより駆動し、所定電位となる。
【００１４】
また、各画素部には、第１電極に対応して第２電極が形成される。各第２電極は、一対の基板のうち、第１電極が形成された一方の基板上に形成されてもよいし、一方の基板と対向する他方の基板上に形成されてもよい。
【００１５】
更には、各画素部には、第２電極を駆動するための第２の画素回路が形成される。各第２の画素回路は、一対の基板のうち、第２電極と同一の基板上に形成される。そして、各第２の画素回路は、例えばＴＦＴである第２の能動素子を含み、第２電極は、第２の能動素子によって制御されることにより駆動し、所定電位となる。
【００１６】
尚、本発明の電気光学装置では、後述するように、第２の画素回路は、機能的に第１画素回路に代替可能で、さらにこれに加えて若しくは代えて、画素毎に第１及び第２電極を駆動可能なように、例えば一対の基板のうち第２の電極と異なる基板上に形成されてもよい。
【００１７】
そして、本発明の電気光学装置では、その駆動時、各画素部において、電気光学物質には、各画素に表示されるべき画像データに応じた、第１電極及び第２電極の電位差に相当する印加電圧が印加されることにより、画像表示が行われる。ここで、一対の基板のうち、第１電極及び第２電極が互いに異なる基板上に形成されている場合には、第１電極及び第２電極間の電位差に起因して、基板面に対して垂直方向の電界、所謂「縦電界」によって、電気光学物質に対して、画像データに応じた印加電圧が印加される。或いは、一対の基板のうち、第１電極及び第２電極が同一の基板上に形成されている場合には、第１電極及び第２電極間の電位差に起因して、基板面に対して並行方向の電界、所謂「横電界」によって、電気光学物質に対して、画像データに応じた印加電圧が印加される。いずれの場合にも、第１電極及び第２電極間には、これら電極間に電気光学物質として挟持される液晶において、液晶保持容量が形成される。
【００１８】
よって、本発明の電気光学装置では、画素領域の複数の画素部において夫々、第１の画素回路によって第１電極を互いに独立させて駆動させると共に、第２の画素回路によって第２電極を互いに独立させて駆動させることが可能となる。
【００１９】
従って、電気光学装置の製造時に、各画素部において、第１の画素回路において不良が生じた場合、これに対応する第２の画素回路によって第２電極の電位を調整することができる。よって、各画素部において、機能的に、不良が生じた第１の画素回路を、第２の画素回路によって代替することができる、即ち第２の画素回路を冗長回路として機能させることができる。よって、本発明の電気光学装置によれば、回路的に歩留りの低下を解消し、歩留りを向上させることが可能となる。
【００２０】
また、本発明の電気光学装置では、各画素部において、前述したコモン振り駆動と同様の駆動を行うようにしてもよい。即ち、各画素部において、第１電極の電位を、所定周期で基準電位に対して正極性及び負極性のいずれかに極性反転させると共に、第２電極の電位を、第１電極と異なる極性となるように、第１電極の電位を極性反転させる周期に同期して、基準電位に対して正極性及び負極性のいずれかに極性反転させる。この際、各画素部において、第１及び第２電極の各々を駆動するための電流は、既に説明したようにコモン振り駆動により対向電極の駆動に要する電流と比較して、顕著に少なくすることができる。よって、各画素部で、第１及び第２電極の電位を容易に安定させることが可能となり、高速に駆動することができる。
【００２１】
更に、各画素部で個別に、第１電極及び第２電極の極性反転の各々のタイミングを同期させて、行うことができるため、非選択画素において第１電極及び第２電極のうち他方の電位が変動することがなく、これら第1電極及び第2電極の各々の電位がプッシュアップ、或いはプッシュダウンすることがない。その結果、第１の画素回路における第１の能動素子及び第２の画素回路における第２の能動素子の少なくとも一方をＴＦＴにより形成する場合も、既に説明したようなコモン振り駆動を行う場合と比較して、ソース−ドレイン間耐圧の小さいＴＦＴで足りることになる。或いは、ＴＦＴに対して要求されるオフ電流特性は、相対的に低くてよいことになる。いずれの場合にも、ＴＦＴに要求されるトランジスタ特性等の、第１の能動素子や第２の能動素子に要求される素子特性は、相対的に低くてよいことになる。従って、各画素部において、第１の能動素子及び第２の能動素子の両方を形成するための領域をより小さくすることが可能となり、微細化すると共に開口率を向上させることが可能となる。その結果、本発明の電気光学装置では、光の利用効率を高めて輝度を向上させると共に高精細な画像表示を行うことができる。
【００２２】
加えて、各画素部で、第１電極及び第２電極の各々を極性反転させて駆動させる場合に、第１の能動素子及び第２の能動素子の各々をＴＦＴにより形成することにより、第１の能動素子及び第２の能動素子において夫々同等の程度の光リークが生じるようにできる。
その結果、電気光学物質に印加される印加電圧が、第１電極及び第２電極の各々の極性反転に伴って著しく変動するのを防止することが可能となる。よって、本発明の電気光学装置では、極めて効率的に、反転駆動に係る反転周期に呼応したフリッカの発生を防止することができる。
【００２３】
従って、以上説明したような本発明の電気光学装置によれば、歩留りを向上させると共に、高品質な画像表示を行うことが可能となる。
【００２４】
尚、以上説明した本発明の電気光学装置では、コモン振り駆動と同様の駆動に加えて若しくは代えて、各画素部において、第１及び第２電極のいずれか一方の電位を所定値に固定すると共に、他方の電極の電位を、基準電位に対して、所定周期で正極性及び負極性のいずれかに極性反転させるように駆動するようにしてもよい。この場合でも、既に説明したように、電気光学装置において、複数の画素部に共通に対向電極を対向基板側に、画素電極と対向させて形成する構成と比較して、各画素部で、第１及び第２電極の電位を容易に安定させることが可能となり、高速に駆動することができる。
【００２５】
本発明の電気光学装置の一態様では、前記第１電極に供給される第１の信号を供給すると共に、前記第２電極に供給される第２の信号を供給する信号供給回路を更に備える。
【００２６】
この態様によれば、本発明の電気光学装置の駆動時に、各画素部において、第１の画素回路が第１の信号に基づいて駆動されることにより、第１電極が個別に駆動されると共に、第２の画素回路が第２の信号に基づいて駆動されることにより、第２電極が個別に駆動される。よって、画素部毎に、第１及び第２電極の各々の電位を第１の信号及び第２の信号によって調整し、その電位差に基づく、電気光学物質の印加電圧を制御できる。その結果、既に説明したように、電気光学装置の画素領域において、各画素部に共通に形成された対向基板を共通電位で駆動する構成と比較して、各画素部において駆動の自由度を大きくすることが可能となる。
【００２７】
尚、信号供給回路は、少なくとも部分的に、例えば第１又は第２基板に外付ＩＣとして、後付けされてもよいし、少なくとも部分的に基板上に作り込まれてもよい。
【００２８】
この信号供給回路を更に備える態様では、前記画素領域に形成された前記複数の画素部のうち、不良が生じた不良画素部を指定する不良画素データが記憶された不良情報格納部を更に備えており、前記信号供給回路は、前記不良情報格納部に記憶された前記不良画素データに基づいて、前記不良画素部における前記第１電極及び前記第２電極間の電圧を補正するために、前記第２の信号を調整して、前記第２の画素回路に供給するように構成してもよい。
【００２９】
このように構成すれば、不良情報格納部には、電気光学装置の画素領域において、所定パターンで配列された複数の画素部のうち、電気光学装置の製造時に不良が生じた不良画素部の位置を表すアドレス情報が例えば不良画素データによって示される。
【００３０】
ここで、不良画素部において、第１の画素回路に不良が生じた場合、第１電極は、その駆動時に所定電位に固定される。この場合、信号供給回路によって、例えば不良画素部における第１電極及び第２電極間の電位差が不良画素部で表示されるべき画像データに応じた値となるように、不良画素部における第１電極及び第２電極間の電圧を補正するための第２の信号が供給されることにより、不良画素部において、第２の画素回路は、駆動される。このように、第２電極の電位が調整されて、第１電極及び第２電極間の電位差が、不良画素部で表示すべき画像データに応じた値に調整される。これにより、電気光学装置において、正常に画像表示を行うことが可能になる。
【００３１】
よって、各画素部において、機能的に、不良が生じた第１の画素回路を、第２の画素回路によって代替することができる。
【００３２】
この、不良情報格納部を更に備える態様では、前記信号供給回路は、前記不良画素部において、前記第１の信号の電位を前記第２の信号の電位として前記第２の画素回路に供給するように構成してもよい。
【００３３】
このように構成すれば、不良情報格納部を簡易な構成により実現することが可能となる。例えば、画素領域に形成された複数の画素部の各々の位置を、ヒューズを第１基板及び第２基板のいずれかの基板上に配列させて、ヒューズの配列によって個別に表すことで、不良情報格納部を形成する。そして、例えば不良画素部に対応する位置を表すヒューズをレーザ等で切断することで、不良画素データを回路的に不良情報格納部に記憶させる。この場合、第２の信号として、第１の信号が不良画素部に供給されることにより、第２の画素回路は、駆動される。
【００３４】
このように、前述の如く不良画素部に対する対処を実際の駆動時における駆動制御によってソフトウエア的に実施するのに代えて、予め出荷前に、第１の画素回路への配線経路を第２の画素回路への配線経路へ切り替えるなど、不良画素部における配線をハードウエア的に変更することで実施してもよい。尚、不揮発性の半導体メモリ等から不良情報格納部を形成してもよい。
【００３５】
上述した信号供給回路を更に備える態様では、前記第１電極は、前記第１の信号によって、基準電位に対して正極性及び負極性のいずれかの電位とされると共に、前記第２電極は、前記第２の信号によって、前記第１電極と異なる極性の電位とされるように構成してもよい。
【００３６】
このように構成すれば、各画素部において、コモン振り駆動と同様の駆動を行うことができる。この際、各画素部において、第１及び第２電極の各々を駆動するための電流は、既に説明したようにコモン振り駆動により対向電極の駆動に要する電流と比較して、少なくすることができる。
【００３７】
本発明の電気光学装置の他の態様では、前記第２電極は、前記他方の基板上に形成される。
【００３８】
この態様によれば、電気光学装置の駆動時、各画素部において、第１及び第２基板間に、即ち相対向する第１及び第２電極間に、液晶保持容量を形成すると共に、縦電界を優先的に発生させて、例えば電気光学物質である液晶に、印加電圧を印加することができる。
【００３９】
ここで、各画素部においてコモン振り駆動と同様の駆動を行う場合、第１電極及び第２電極の極性反転のタイミングを、画素部毎に個別に同期させて、行うことができる。よって、各画素部において、第１電極及び第２電極の各々の電位が、これら第１電極及び第２電極のうち他方の電位変動に伴ってプッシュアップ、或いはプッシュダウンするのを防止することが可能となる。
【００４０】
本発明の電気光学装置の他の態様では、前記第２の画素回路は、前記他方の基板上に形成されている。
【００４１】
この態様によれば、第１基板及び第２基板のうち、各画素部において、第１の画素回路と別の基板上に、第２の画素回路を形成することにより、第１基板及び第２基板の両方のサイズが大きくなるのを防止することができる。更に、各画素部について、微細化すると共に、開口率を向上することが可能となる。特に、第１基板上における回路や配線の構成と、第２基板上における回路や配線の構成を同一又は類似に構成することも可能となり、製造プロセスの容易化を図ることができる。
【００４２】
これらの第２電極或いは第２の画素回路が他方の基板上に形成されている態様では、前記一方の基板上に、前記第１画素電極に電気的に接続された第１蓄積容量を更に備え、前記他方の基板上に、前記第２画素電極に電気的に接続された第２蓄積容量を更に備え、該第２蓄積容量、前記第２電極及び前記第２の画素回路は、前記他方の基板上に形成されてもよい。
【００４３】
このように構成すれば、第１及び第２基板側に夫々、蓄積容量を有することで、第１及び第２画素電極における電荷の保持特性を顕著に高めることが可能となる。しかも、相互に同一又は類似である、蓄積容量、電極及び画素回路が夫々形成された第１及び第２基板を用いて、当該電気光学装置を構築することが可能となり、製造プロセスの一層の容易化を図ることができる。
【００４４】
本発明の電気光学装置の他の態様では、前記第１の能動素子及び前記第２の能動素子の少なくとも一方は、薄膜トランジスタにより形成されている。
【００４５】
この態様によれば、各画素部において、第１電極及び第２電極間の電位差に基づいて、縦電界を優先的に発生させて、コモン振り駆動と同様の駆動を行う場合においても、ＴＦＴにより形成された第１の能動素子及び第２の能動素子のいずれか一方若しくは両方において、ソース−ドレイン間耐圧を小さくすることができる。或いは、ソース−ドレイン間耐圧やオフ電流特性に相対的に劣るＴＦＴを採用することも可能となる。加えて、第１の能動素子及び第２の能動素子の各々をＴＦＴにより形成することにより、第１の能動素子及び第２の能動素子において夫々同等の程度の光リークを生じさせることが可能となり、反転駆動に係る反転周期に呼応したフリッカを極めて効率的に低減できる。
【００４６】
本発明の電子機器は上記課題を解決するために、上述した本発明の電気光学装置（但し、その各種態様も含む）を具備する。
【００４７】
本発明の電子機器は、上述した本発明の電気光学装置を具備してなるので、歩留りを向上させると共に高品質な画像表示を行うことが可能なテレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００４８】
本発明のこのような作用及び他の利得は次に説明する実施の形態から明らかにされる。
【発明を実施するための最良の形態】
【００４９】
以下では、本発明の実施の形態について図を参照しつつ説明する。以下の実施形態は、本発明の電気光学装置を液晶装置に適用したものである。
【００５０】
＜１：第１実施形態＞
本発明の電気光学装置に係る第１実施形態について、図１から図１２を参照して説明する。
【００５１】
＜１−１：電気光学パネルの全体構成＞
先ず、本発明の電気光学装置の一例たる液晶装置における、電気光学パネルの一例としての液晶パネルの全体構成について、図１及び図２を参照して説明する。ここに、図１は、第１基板をその上に形成された各構成要素と共に、第２基板の側から見た液晶パネルの概略的な平面図であり、説明の便宜上、第２基板を除外して図示してある。図２は、図１のＨ−Ｈ'断面図であり、第２基板を含めて図示してある。ここでは、駆動回路内蔵型のＴＦＴアクティブマトリクス駆動方式の液晶装置を例にとる。
【００５２】
図１及び図２において、本実施形態に係る液晶パネル１００では、第１基板１０と第２基板２０とが対向配置されている。第１基板１０と第２基板２０との間に液晶層５０が封入されており、第１基板１０と第２基板２０とは、本発明に係る「画素領域」の一例である画像表示領域１０ａの周囲に位置するシール領域に設けられたシール材５２により相互に接着されている。即ち、第１基板１０及び第２基板２０間の画像表示領域１０ａにおいて、シール材５２によって囲まれた領域に液晶層５０が封入される。
【００５３】
シール材５２は、両基板を貼り合わせるための、例えば紫外線硬化樹脂、熱硬化樹脂等からなり、製造プロセスにおいて第１基板１０若しくは第２基板２０上に塗布された後、紫外線照射、加熱等により硬化させられたものである。また、シール材５２中には、第１基板１０と第２基板２０との間隔（基板間ギャップ）を所定値とするためのグラスファイバ或いはガラスビーズ等のギャップ材が散布されている。
【００５４】
シール材５２が配置されたシール領域の内側に並行して、額縁遮光膜５３が設けられる。この額縁遮光膜５３は、例えば第１基板１０及び第２基板２０の各々に設けられた所定パターンの遮光膜により形成され、画像表示領域１０ａの額縁領域を規定する。但し、このような額縁遮光膜５３の全部が、第１基板１０及び第２基板２０のいずれか一方側に内蔵遮光膜として設けられてもよい。
【００５５】
本実施形態では、第１基板１０上において、画像表示領域１０ａの周辺に位置する周辺領域のうち、シール材５２が配置されたシール領域の外側に位置する領域には、第１基板１０用の第１データ線駆動回路１０１ａ及び第１外部回路接続端子１０２ａが第１基板１０の一辺に沿って設けられている。尚、図１又は図２中には図示しないが、第１基板１０上において、第１データ線駆動回路１０１ａ及び第１外部回路接続端子１０２ａが設けられた一辺に沿ったシール領域よりも内側に、後述するような不図示の第１サンプリング回路２００ａ等（後述の図４参照）が、第１基板１０上に平面的に見て額縁遮光膜５３に覆われるようにして設けられている。更に、第２基板２０上には、不図示の不良情報格納部５００を含む駆動制御部５００ｃ等（後述の図５参照）が、周辺回路の一部として設けられている。
【００５６】
また、第１基板１０用の第１走査線駆動回路１０４ａは、第１基板１０上において、第１データ線駆動回路１０１ａ及び第１外部回路接続端子１０２ａが設けられた一辺に隣接する２辺に沿ったシール領域の内側に、第１基板１０上に平面的に見て額縁遮光膜５３に覆われるようにして設けられている。そして、このように画像表示領域１０ａの両側に設けられた２つの第１走査線駆動回路１０４ａ間を電気的に接続させるため、第１基板１０の残る一辺に沿い、且つ額縁遮光膜５３に覆われるようにして複数の配線１０５ａが設けられている。
【００５７】
また、第２基板２０上における周辺領域にも、第１基板１０と同様に、第２基板２０用の第２データ線駆動回路１０１ｂ及び第２外部回路接続端子１０２ｂが設けられると共に、更に後述するような第２サンプリング回路２００ｂも設けられる。加えて、第２基板２０上における周辺領域にも、第１基板１０と同様に、画像表示領域１０ａの両側に２つの第２走査線駆動回路１０４ｂが設けられると共に、これら２つの第２走査線駆動回路１０４ｂ間も複数の配線１０５ｂによって電気的に接続される。
【００５８】
本実施形態では、第１基板１０と第２基板２０とは、好ましくは、上述したようなデータ線駆動回路や走査線駆動回路等の周辺回路の構成に加え、画像表示領域１０ａにおける構成も同様の構成を有する。そして、図２に示すように、第１基板１０と第２基板２０とが互いに対向配置された状態で、好ましくは、一方の対向面における各画素部の構成は、他方の対向面における対応する画素部の構成に対して、鏡に映したかの如く対称的な構成となるように形成される。尚、図２に示すように、第１基板１０と第２基板２０とが互いに対向配置された状態で、例えば、第１基板１０側から見て、第１データ線駆動回路１０１ａ及び第１外部回路接続端子１０２ａとは、画像表示領域１０ａを挟んで反対側に、第２基板２０側の第２データ線駆動回路１０１ｂ及び第２外部回路接続端子１０２ｂは配置される。そして、図１及び図２には図示しない上下導通端子や上下導通材が、第１基板１０又は第２基板２０上に適宜設けられることで、第１基板１０と第２基板２０との間で電気的な導通をとることができる。また、第２基板２０に対して、各種信号は、第２外部回路接続端子１０２ｂを介して第１外部回路接続端子１０２ａから独立に供給されてもよいし、或いは、少なくとも部分的に、第１外部回路接続端子１０２ａから上下導通材を介して供給されてもよい。更に、第２基板２０に対して、第１基板上で生成された何らかの信号が上下導通材を介して供給されてもよい。
【００５９】
このような本実施形態の液晶パネル１００では、図２において、第１基板１０上には、本発明に係る第１の能動素子たるＴＦＴが画素部毎に形成されると共に、これに加えて第１走査線、第１データ線等の各種配線が作りこまれた積層構造が形成され、この積層構造上に第１電極９ａが形成され、さらにその上層側に、配向膜が形成されている。また、第２基板２０上においても、第１基板１０と同様に、第２の能動素子たるＴＦＴや第２走査線、第２データ線等が作り込まれた積層構造が形成され、更にはこの積層構造上に第２電極９ｂ、及び第２電極９ｂより上層側に配向膜が夫々形成される。また、液晶層５０は、例えば一種又は数種類のネマティック液晶を混合した液晶からなり、これら一対の配向膜間で、所定の配向状態をとる。ここで、第１基板１０及び第２基板２０の少なくとも一方側において、例えば、積層構造に作りこまれた走査線やデータ線等により、各画素部の非開口領域を規定する、言い換えれば開口領域が規定される。
【００６０】
なお、図１及び図２には図示しないが、第１基板１０及び第２基板２０上には夫々、周辺回路として上述したデータ線駆動回路等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００６１】
＜１−２：電気光学装置の全体構成＞
本実施形態における電気光学装置の一例たる液晶装置の全体構成について図３から図６を参照して説明する。ここに、図３は、液晶装置の全体構成を示すブロック図であり、図４は、第１基板側の電気的な構成を示すブロック図であり、図５は、第２基板側の電気的な構成を示すブロック図である。
【００６２】
図３に示すように、液晶装置は、液晶パネル１００を備えると共に、外部回路として設けられた画像信号処理回路３００及びタイミング制御回路４００を備える。そして、本実施形態では、既に説明したように液晶パネル１００に内蔵された周辺回路である、第１及び第２データ線駆動回路１０１ａ及び１０１ｂ、第１及び第２走査線駆動回路１０４ａ及び１０４ｂ、更には第１及び第２サンプリング回路２００ａ及び２００ｂに加えて、画像信号処理回路３００及びタイミング制御回路４００が、本発明に係る「信号供給回路」の主要部に含まれる。尚、このような画像信号供給回路は、上述したようにその一部が液晶パネル１００に内蔵されてもよいし、これに限らず信号供給回路の全部が液晶パネル１００に内蔵されるようにしてもよい。或いは、これとは逆に、信号供給回路の全部を液晶パネル１００の外部回路に形成し、液晶パネル１００に対して外付けするようにしてもよい。
【００６３】
タイミング制御回路４００は、液晶パネル１００を駆動するための各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００６４】
また、画像信号処理回路３００は、外部から１系統の入力画像データＶ０が入力されると、各画素部において、第１電極９ａに供給される、本発明に係る「第１の信号」の一例たる第１画像信号Ｖ１及び本発明に係る「第２の信号」の一例たる、第２電極９ｂに供給される第２画像信号Ｖ２を夫々生成する。画像信号処理回路３００において、例えば１系統の入力画像データＶＩＤはシリアル−パラレル変換されることで相展開され、第１画像信号Ｖ１又は第２画像信号Ｖ２は６相、１２相、・・・として生成される。更に、画像信号処理回路３００において、第１画像信号Ｖ１及び第２画像信号Ｖ２の各々の電圧が、所定の基準電位に対して正極性及び負極性に極性反転されて、出力されるようにしてもよい。
【００６５】
次に、液晶パネル１００における電気的な構成について、図４及び図５を参照して説明する。
【００６６】
先ず、図４を参照して、液晶パネル１００における第１基板１０側の、第２基板２０に対する対向面における、第２基板２０側から見た構成について説明する。既に説明したように、第１基板１０上には、周辺回路として、第１走査線駆動回路１０４ａ、第１データ線駆動回路１０１ａ、及び第１サンプリング回路２００ａを含む内部駆動回路が設けられている。
【００６７】
第１走査線駆動回路１０４ａには、Ｙクロック信号ＣＬＹ、反転Ｙクロック信号ＣＬＹｉｎｖ、及びＹスタートパルスＤＹが供給される。第１走査線駆動回路１０４ａは、ＹスタートパルスＤＹが入力されると、Ｙクロック信号ＣＬＹ及び反転Ｙクロック信号ＣＬＹｉｎｖに基づくタイミングで、第１走査信号Ｇａ１、Ｇａ２、・・・、Ｇａｍを順次生成して出力する。
【００６８】
第１データ線駆動回路１０１ａには、Ｘクロック信号ＣＬＸ、反転Ｘクロック信号ＣＬＸｉｎｖ、及びＸスタートパルスＤＸが供給される。第１データ線駆動回路１０１ａは、ＸスタートパルスＤＸが入力されると、Ｘクロック信号ＣＬＸ及び反転Ｘクロック信号ＸＣＬＸｉｎｖに基づくタイミングで、第１サンプリング信号Ｓａ１、Ｓａ２・・・、Ｓａｎ−２、Ｓａｎ−１、Ｓａｎを順次生成して出力する。
【００６９】
第１サンプリング回路２００ａは、Ｐチャネル型又はＮチャネル型の片チャネル型ＴＦＴ、若しくは相補型のＴＦＴから構成された第１サンプリングスイッチ２０２ａを複数備える。
【００７０】
第１基板１０上には更に、その第１基板１０の中央を占める画像表示領域１０ａに、縦横に配線された第１データ線１１４ａ及び第１走査線１１２ａを備え、これらの交点に対応して画素部７０がマトリクス状に複数、平面配列される。尚、本実施形態では特に、第１走査線１１２ａの総本数をｍ本（但し、ｍは２以上の自然数）とし、第１データ線１１４ａの総本数をｎ本（但し、ｎは２以上の自然数）として説明する。
【００７１】
画像信号処理回路３００によって生成された第１画像信号Ｖ１は、第１基板１０上における画像信号線１７１ａに供給される。既に説明したように、画像信号処理回路３００により、第１画像信号Ｖ１が６相、１２相、・・・に相展開（即ち、シリアルーパラレル変換）されている場合には、これら第１画像信号Ｖ１の数に対応して、複数の画像信号線１７１ａが形成される。そして、夫々画像信号線１７１ａに供給された、６相、１２相、・・・の第１画像信号Ｖ１は、第１サンプリング回路２００ａを介して、６本、１２本、・・・の第１データ線１１４ａ毎に、これらの第１データ線１１４ａに同時に供給されることとなる。これにより、第１データ線１１４ａへの第１画像信号Ｖ１の入力をグループ毎に行うことが可能となり、駆動周波数が抑えられる。尚、図４には、簡単のため、画像信号線１７１ａの数は１本として図示してあり、相展開された画像信号Ｖ１の供給に係る詳細な構成について、図示を省略してある。
【００７２】
第１データ線駆動回路１０１ａから出力された第１サンプリング信号Ｓａｉ（ｉ＝１、２、・・・、ｎ）は、第１サンプリング回路２００ａの第１サンプリングスイッチ２０２ａに順次供給され、第１サンプリング信号Ｓａｉに応じて各第１サンプリングスイッチ２０２ａはオン状態となる。そして、画像信号線１７１ａから第１画像信号Ｖ１が、オン状態となった第１サンプリングスイッチ２０２ａを介して、第１データ線１１４ａに供給される。また、第１走査線駆動回路１０４ａから出力される第１走査信号Ｇａ１、Ｇａ２、・・・、Ｇａｍによって、各第１走査線１１２ａは線順次に選択される。
【００７３】
次に、図５を参照して、液晶パネル１００における第２基板２０側の、第１基板１０に対する対向面における構成について説明する。第２基板２０側の周辺回路における、第２走査線駆動回路１０４ｂ、第２データ線駆動回路１０１ｂ、及び第２サンプリング回路２００ｂは夫々、第１基板１０側の第１走査線駆動回路１０４ａ、第１データ線駆動回路１０１ａ、及び第１サンプリング回路２００ａのうち対応する回路と同様の構成を有する。
【００７４】
また、既に説明したように、第２基板２０上の画像表示領域１０ａにおける構成は、第１基板１０上の構成と、例えば互いを鏡合わせにしたかの如く、同様の構成を有すると共に対称的に構成される。そして、第２基板２０上には、第１基板１０上の各第１データ線１１４ａに対応させて第２データ線１１４ｂが配線されると共に、各第１走査線１１２ａに対応させて第２走査線１１２ｂが第２データ線１１４ｂに交差して配線されており、これらの交差に対応して画素部７０が配置される。
【００７５】
また、第２走査線駆動回路１０４ｂは、第１走査線駆動回路１０４ｂと同様の構成を有し、第１走査線駆動回路１０４ｂと同様に、Ｙクロック信号ＣＬＹ、反転Ｙクロック信号ＣＬＹｉｎｖ、及びＹスタートパルスＤＹに基づいて駆動し、第２走査信号Ｇｂ１、Ｇｂ２、・・・、Ｇｂｍを順次生成して出力する。
【００７６】
よって、図４に示す各第１走査線１１２ａの、第１走査信号Ｇａｊ（ｊ＝１、２、・・・、ｍ）に基づく選択順序に従うと共に、その第１走査信号Ｇａｊの第１走査線１１２ａへの出力タイミングに同期して、第２基板２０上の各第２走査線１１２ｂは、第２走査線駆動回路１０４ｂから出力された第２走査信号Ｇｂｊに基づいて選択される。
【００７７】
また、第２データ線駆動回路１０１ｂは、第１データ線駆動回路１０１ａと同様の構成を有し、第１データ線駆動回路１０１ａと同様に、Ｘクロック信号ＣＬＸ、反転Ｘクロック信号ＣＬＸｉｎｖ、及びＸスタートパルスＤＸに基づいて駆動し、第２サンプリング信号Ｓｂ１、Ｓｂ２・・・、Ｓｂｎ−２、Ｓｂｎ−１、Ｓｂｎを順次生成して出力する。加えて、第２サンプリング回路２００ｂも、第１サンプリング回路２００ａと同様に、第１サンプリングスイッチ２０２ａと同様の第２サンプリングスイッチ２０２ｂが各第２データ線１１４ｂに対応して設けられている。
【００７８】
ここで、第２基板２０上には、例えばヒューズ配列や半導体メモリなどの不揮発性の記憶・格納部から構成される、不良情報格納部５００が、周辺回路の一部として第２基板２０上に設けられた駆動制御部５００ｃ内に設けられている。画像信号処理回路３００によって生成された第１画像信号Ｖ１及び第２画像信号Ｖ２は、駆動制御部５００ｃに供給される。不良情報格納部５００には、後述するような１以上の、本発明に係る「不良画素データ」の一例である、不良セルデータが格納されている。駆動制御部５００ｃには、第２データ線駆動回路１０１ｂから出力される第２サンプリング信号Ｓｂｉ、及び第２走査線駆動回路１０４ｂから出力される第２走査信号Ｇｂｊが入力され、不良セル即ち不良画素部に対して画像データを供給する際には、ヒューズ等の切断によって不良情報格納部５００に格納された不良セルデータに基づいて、駆動制御部５００ｃからは、第１画像信号Ｖ１及び第２画像信号Ｖ２のいずれかが出力される。
【００７９】
そして、このように出力された第１画像信号Ｖ１若しくは第２画像信号Ｖ２は、画像信号線１７１ｂに供給される。本実施形態では、通常の駆動時において、各第２データ線１１４ｂは第２画像信号Ｖ２に基づいて駆動されるが、後述するように、画像表示領域１０ａにおける複数の画素部７０のうち不良が生じた不良画素部を駆動する際には、対応する第２データ線１１４ｂに対して、画像信号線１７１ｂより第２サンプリング回路２００ｂを介して第１画像信号Ｖ１が出力される。尚、第２基板２０上の画像信号１７１ｂ線について、既に説明したように、第１及び第２画像信号Ｖ１及びＶ２が夫々６相、１２相、・・・に相展開されている場合には、第１基板１０上における画像信号線１７１ａと同様に形成されると共に、画像信号線１７１ｂから各第２データ線１１４ｂへ、画像信号線１７１ｂに供給された第１画像信号Ｖ１若しくは第２画像信号Ｖ２が、第１基板１０側と同様に供給されるようにしてもよい。また、図４と同様に、図５においても、画像信号線１７１ｂの数は１本として図示してある。
【００８０】
そして、第１データ線駆動回路１０１ａからの第１サンプリング信号Ｓａｉの出力順序に従うと共に、その出力タイミングに同期して、第２サンプリング信号Ｓｂｉが、第２サンプリング回路２００ｂの第２サンプリングスイッチ２０２ｂに順次供給される。よって、各第１データ線１１４ａに対する第１画像信号Ｖ１の出力順序に従うと共に、その出力タイミングに同期して、各第２データ線１１４ｂに第１画像信号Ｖ１若しくは第２画像信号Ｖ２が出力されることとなる。
【００８１】
次に、図６を参照して、任意の画素部７０の構成について説明する。図６は、任意の画素部７０の電気的な構成を示す図である。
【００８２】
各画素部７０は、上述したように、第１基板１０上における第１データ線１１４ａ及び第１走査線１１２ａの交差に対応し、且つ第２基板２０上における第２データ線１１４ｂ及び第２走査線１１２ｂの交差に対応して形成される。そして、各画素部７０において、第１基板１０上には、第１電極９ａに加えて、第１電極９ａを駆動するための第１の画素回路７１ａが形成される。第１の画素回路７１ａには、第１電極９ａを、能動制御としてスイッチング制御するための、本発明に係る「第１の能動素子」の一例である第１ＴＦＴ１１６ａが含まれる。この第１ＴＦＴ１１６ａのソース電極には、第１データ線１１４ａが電気的に接続されている一方、第１ＴＦＴ１１６ａのゲート電極には、第１走査線１１２ａが電気的に接続されるとともに、第１ＴＦＴ１１６ａのドレイン電極には、第１電極９ａが接続されている。尚、第１の能動素子として、ＴＦＴのほか、各種トランジスタ或いはＴＦＤ等のダイオードにより構成されてもよい。
【００８３】
また、第１の画素回路７１ａには、第１電極９ａの電位がオフリーク電流により顕著に変動するのを防ぐために、第１蓄積容量１１９ａが、第１電極９ａと並列に、即ち液晶容量と並列に付加されている。これにより、例えば、第１電極９ａの電位は、第１ＴＦＴ１１６ａより第１画像信号Ｖ１が印加された時間よりも３桁も長い時間だけ第１蓄積容量１１９ａにより保持されるので、保持特性が改善される結果、高コントラスト比が実現されることとなる。第１蓄積容量１１９ａは、固定電位側容量電極を含むと共に、図４に示す定電位に固定された容量電極１１３ａが電気的に接続されている。
【００８４】
他方、第２基板２０上における画素部７０の構成は、第１基板１０の第２基板に対する対向面側から見て、第１基板１０側の構成を鏡に映したかの如く同様で且つ対称的な構成を有している。そして、第２基板２０上において、各画素部７０には、第２電極９ｂに加えて第２の画素回路７１ｂが形成される。第２の画素回路７１ｂは、第１の画素回路７１ａと同様に構成されており、第２電極９ｂを能動制御としてスイッチング制御するための、本発明に係る「第２の能動素子」の一例である第２ＴＦＴ１１６ｂが含まれると共に、第２蓄積容量１１９ｂが含まれている。第２蓄積容量１１９ｂは、第１蓄積容量１１９ａと同様に、固定電位側容量電極を含むと共に、図５に示す容量電極１１３ｂが電気的に接続されている。よって、本実施形態では、各画素部７０において、第１電極９ａ及び第２電極９ｂ間に液晶が挟持され、液晶保持容量１１８が形成されることとなる。
【００８５】
尚、本実施形態では、各画素部７０において、第１電極９ａ及び第２電極９ｂは開口領域に配置されると共に、第１ＴＦＴ１１６ａ及び第２ＴＦＴ１１６ｂや第１蓄積容量１１９ａ及び第２蓄積容量１１９ｂは非開口領域に配置される。
【００８６】
そして、液晶装置の駆動時、各画素部７０において、第１基板１０側において、第１の画素回路７１ａの第１ＴＦＴ１１６ａは、第１走査線１１２ａを介して第１走査信号Ｇａｊが供給されることによりオン状態となり、第１電極９ａには第１ＴＦＴ１１６ａを介して第１データ線１１４ａより第１画像信号Ｖ１が供給される。他方、第２基板２０側においても、第２の画素回路７１ｂが、第１の画素回路７１ａの駆動に同期して、第１の画素回路７１ａと同様に、第２走査信号Ｇｂｊ及び第２画像信号Ｖ２に基づいて駆動され、第２電極９ｂには第２画像信号Ｖ２が供給される。
【００８７】
これらにより、各画素部７０において、液晶には第１電極９ａ及び第２電極９ｂ間の電位差に起因して、各画素において表示すべき画像データに応じた縦電界が優先的に生じ、この電位差によって規定される印加電圧が印加される。液晶は、印加される電圧レベルにより分子集合の配向や秩序が変化することにより、光を変調し、階調表示を可能とする。
ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは第１及び第２画像信号Ｖ１及びＶ２に応じたコントラストをもつ光が出射する。
【００８８】
よって、以上説明したような本実施形態における液晶装置によれば、各画素部７０において夫々、第１電極９ａを互いに独立させて駆動させると共に、第２電極９ｂを互いに独立させて駆動させることが可能となる。また、液晶パネル１００において、第１基板１０及び第２基板２０のうち、各画素部７０において、第１電極９ａ及び第１の画素回路７１ａと別の基板上に、第２の画素回路７１ｂを形成することにより、第１基板１０及び第２基板２０の両方のサイズが大きくなるのを防止することができる。更に、各画素部７０について、微細化すると共に、開口率を向上することが可能となる。
【００８９】
＜１−３：電気光学装置の動作＞
次に、図１から図６に加えて、図７及び図８を参照して、本実施形態における、電気光学装置の一例たる液晶装置の動作について説明する。
【００９０】
図７は、液晶装置を動作させるための各種信号の経時的変化を示すタイミングチャートを示す図であり、図８は、不良情報格納部の構成及び動作について模式的に示す図である。
【００９１】
複数の第１走査線１１２ａは、図４中、画像表示領域１０ａ内に縦方向（即ち第１データ線１１４ａの延在方向、或いはＹ方向、列方向）に沿って配列されている。本実施形態では、各第１走査線１１２ａは、図４中、その配列方向に沿った順番で選択されるものとする。よって、Ｙ方向（図５中、縦方向或いは第２データ線１１４ｂの延在方向、列方向）に沿って配列された複数の第２走査線１１２ｂも、各第１走査線１１２ａの選択順序に従って、夫々選択される。以下では、特に、第ｊ番目に選択される第１及び第２走査線１１２ａ及び１１２ｂに対応する画素部７０に着目して説明する。
【００９２】
また、本実施形態では、各画素部７０では、液晶においてノーマリーホワイトモードの表示が行われるものとする。また、図７において、各画素部７０において、液晶によって黒色の表示を行うための、第１及び第２画像信号Ｖ１及びＶ２の各々によって駆動される第１及び第２電極９ａ及び９ｂ間の電位差は５［Ｖ］とする。更に、第１及び第２画像信号Ｖ１及びＶ２の各々の電位を、７［Ｖ］及び２［Ｖ］間で変化させることによって画像表示が行われるものとする。
【００９３】
図７において、Ｙクロック信号ＣＬＹが、１水平期間の開始時に、ローレベルからハイレベルに立ち上がると、第１基板１０側において、第１走査信号Ｇａｊが第１走査線駆動回路１０４ａから、第ｊ番目の第１走査線１１２ａに供給される。Ｙクロック信号ＣＬＹは、１水平期間にハイレベルの状態にあり、第ｊ番目の第１走査線１１２ａは、この１水平期間において選択状態となる。また、第２基板２０側において、第ｊ番目の第２走査線１１２ｂにも、第１走査信号Ｇａｊの第ｊ番目の第１走査線１１２ａに対する出力タイミングに同期して、第２走査信号Ｇｂｊが第２走査線駆動回路１０４ｂから供給され、第ｊ番目の第２走査線１１２ｂは１水平期間において選択状態となる。これにより、第ｊ番目の第１走査線１１２ａ及び第２走査線１１２ｂに対応する画素部７０が選択される。
【００９４】
その後、画像信号処理回路３００から画像信号供給期間に、夫々電位が所定値に調整された第１画像信号Ｖ１及び第２画像信号Ｖ２が供給される。より具体的には、図７において、第１画像信号Ｖ１は、画像信号供給期間において、各第１データ線１１４ａの電位を、第１データ線１１４ａ毎に調整可能なように、７［Ｖ］及び２［Ｖ］間のいずれかの値に調整されて、供給される。他方、第２画像信号Ｖ２の電位は、７［Ｖ］に固定されて供給される。
【００９５】
そして、画像信号供給期間において、第１基板１０側において、Ｘクロック信号ＣＬＸのローレベルからハイレベルへの立ち上がり、或いはハイレベルからローレベルへの立ち下がりに同期して、第１サンプリング信号Ｓａ１、Ｓａ２、・・・、Ｓａｎ−２、Ｓａｎ−１、Ｓａｎが第１データ線駆動回路１０１ａから、図４中、第１データ線１１４ａの配列方向（即ち、図４中横方向、或いは第１走査線１１２ａの延在方向、或いはＸ方向、行方向）に沿って、順次出力される。よって、第１サンプリング回路２００ａにおいて、各第１サンプリングスイッチ２０２ａは、第１サンプリング信号Ｓａｉに応じて順次にオン状態となる。そして、各第１データ線１１４ａには、第１サンプリング信号Ｓａ１、Ｓａ２、・・・、Ｓａｎ−２、Ｓａｎ−１、Ｓａｎの出力順序に応じて、第１サンプリングスイッチ２０２ａを介して順次第１画像信号Ｖ１が供給される。
【００９６】
他方、画像信号供給期間において、第２基板２０側では、第２データ線駆動回路１０１ｂから、第２サンプリング信号Ｓｂ１、Ｓｂ２、・・・、Ｓｂｎ−２、Ｓｂｎ−１、Ｓｂｎが、第１サンプリング信号Ｓａ１、Ｓａ２、・・・、Ｓａｎ−２、Ｓａｎ−１、Ｓａｎの出力順序に従うと共に、各々の出力タイミングに同期して、図５中、第２データ線１１４ｂの配列方向（即ち、図５中横方向、或いは第２走査線１１２ｂの延在方向、或いはＸ方向、行方向）に沿って、順次出力される。尚、図５には、第１基板１０の第２基板２０と対向する対向面側から、第２基板２０の構成を示してあるため、図４中における、第１サンプリング信号Ｓａ１、Ｓａ２、・・・、Ｓａｎ−２、Ｓａｎ−１、Ｓａｎの各々の出力順序と、図５中における、第２サンプリング信号Ｓｂ１、Ｓｂ２、・・・、Ｓｂｎ−２、Ｓｂｎ−１、Ｓｂｎの各々の出力順序は互いに逆となるように図示してある。
【００９７】
そして、第２サンプリング回路２００ｂにおいて、各第２サンプリングスイッチ２０２ｂは、第２サンプリング信号Ｓｂｉに応じて、Ｘ方向に沿って順次にオン状態となる。これにより、各第２データ線１１４ｂには、第２サンプリング信号Ｓｂ１、Ｓｂ２、・・・、Ｓｂｎ−２、Ｓｂｎ−１、Ｓｂｎの出力順序に応じ、且つ第１データ線１１４ａへの第１画像信号Ｖ１の出力タイミングに同期して、第２サンプリングスイッチ２０２ｂを介して順次第２画像信号Ｖ２が供給される。
【００９８】
その結果、第ｊ番目の第１走査線１１２ａ及び第２走査線１１２ｂに対応する画素部７０では夫々、第１電極９ａに第１画像信号Ｖ１が供給されると共に、この第１画像信号Ｖ１の供給タイミングに同期して、第２電極９ｂに第２画像信号Ｖ２が供給される。
【００９９】
ここで、液晶装置の製造時、各画素部７０では、第１の画素回路７１ａにおいて、第１データ線１１４ａから第１電極９ａまでの間の電気的経路における短絡や断線等によって、不良が生じることがある。このように第１の画素回路７１ａにおいて不良が生じた画素部７０は不良画素部となり、第１電極９ａの電位は、例えば７［Ｖ］に固定されてしまう。
【０１００】
本実施形態では、図５を参照して説明したように、第２基板２０上の周辺回路には、不良情報格納部５００を含む駆動制御部５００ｃが設けられている。図８において、不良情報格納部５００は、画像表示領域１０ａに形成された複数の画素部７０の各々の、第２基板２０上の位置を、第２基板２０上にヒューズ５１０を配列させて、ヒューズ５１０の配列によって個別に表すことで、形成されている。よって、この場合、不良情報格納部５００を簡易な構成とすることができる。
【０１０１】
そして、液晶装置の製造中や、製造後で且つ出荷前における各種検査で、試験的に液晶装置を駆動させた場合、上述したような不良画素部（即ち、不良セル）が検出されると、例えばレーザで不良画素部に対応する位置を表すヒューズ５１０を切断することで、不良画素部の画像表示領域１０ａにおける位置を表すアドレス情報を示す不良セルデータが、回路的に不良情報格納部５００に記憶される。これにより、不良情報格納部５００には、一以上の不良画素部の各々のアドレス情報を示す不良セルデータが、一以上格納されることとなる。
【０１０２】
液晶装置の駆動時、駆動制御部５００ｃに対して第２サンプリング信号Ｓｂｉ及び第２走査信号Ｇｂｊが入力されると、不良情報格納部５００に格納された不良セルデータに基づいて、第１基板１０側において不良画素部に供給される第１画像信号Ｖ１が、第２画像信号Ｖ２に代えて、第２基板２０側において画像信号線１７１ｂに供給される。よって、第２基板２０側において、不良画素部に対応する第２走査線１１２ｂが、駆動制御部５００ｃにも供給された第２走査信号Ｇｂｊによって選択された状態で、駆動制御部５００ｃにも供給された第２サンプリング信号Ｓｂｉに応じて、第２サンプリング回路２００ｂの第２サンプリングスイッチ２０２ｂを介して、不良画素部に対応する第２データ線１１４ｂに、第１画像信号Ｖ１が供給される。そして、更に、この第２データ線１１４ｂより不良画素部の第２の画素回路７１ｂに、第１画像信号Ｖ１は供給される。不良画素部では、第１電極９ａの電位は７［Ｖ］に固定されており、第２電極９ｂの電位は、第１画像信号Ｖ１に基づいて、７［Ｖ］及び２［Ｖ］間のいずれかの値に調整される。よって、不良画素部においても正常に画像表示を行うことが可能となる。
【０１０３】
従って、本実施形態では、各画素部７０において、機能的に、不良が生じた第１の画素回路７１ａを、第２の画素回路７１ｂによって代替することができる、即ち第２の画素回路７１ｂを冗長回路として機能させることができる。
【０１０４】
尚、不良情報格納部５００は、上述の如きヒューズを用いて不良セルデータを格納する形式の他、不揮発性の半導体メモリ等の形式であってもよい。後者の場合、駆動制御部５００ｃが、予め不良情報格納部５００に格納されたセルデータを参照することで、出力について、前者と同様の調整・変更を適宜に加えればよい。
【０１０５】
次に、液晶装置に係る比較例について、図９から図１１を参照して、本実施形態に係る液晶装置と異なる点についてのみ説明する。図９は、比較例に係る液晶パネルの概略的な平面図であり、図１０は、図２に対応する断面部分の構成を示す断面図である。更に、図１１は、比較例に係る任意の画素部の電気的な構成を示す図である。
【０１０６】
比較例では、液晶パネル１００において、特に第２基板２０側の構成が、本実施形態と異なっている。即ち、第２基板２０側には、第２基板２０用の第２データ線駆動回路１０１ｂや第２走査線駆動回路１０４ｂ等の周辺回路は設けられず、加えて、画像表示領域１０ａにおいて、第２データ線１１４ｂ、第２走査線１１２ｂ等が形成されず、更には、各画素部７０において第２の画素回路７１ｂも形成されていない。
【０１０７】
そして、図１０に示すように、第１基板１０と対向する側に、例えば画像表示領域１０ａの概ね全体的にベタ状に形成された第２電極に相当する対向電極２１が形成されており、第１基板１０側に形成された複数の第１電極９ａと、液晶層５０を介して対向する。そして、第２基板２０上において、対向電極２１より上層側（即ち図１０中において対向電極２１より下側）に配向膜が形成される。更に、図９において、第１基板１０上に、画像表示領域１０ａの４隅に対して上下導通端子１０６が配置され、これら上下導通端子１０６によって、対向電極２１を駆動するために、第１基板１０及び第２基板２０間の電気的導通が確保される。
【０１０８】
そして、このような比較例による液晶装置では、図３に示す本実施形態における液晶装置の全体構成と比較して、画像信号処理回路３００からは第１画像信号Ｖ１のみが生成されて出力されると共に、対向電極２１を駆動するための共通電極電位ＬＣＣを液晶パネル１００に供給する電源回路が更に設けられる。これにより、比較例によれば、液晶装置の駆動時、対向電極２１は、電源回路から上下導通端子１０６を介して供給された共通電極電位ＬＣＣのみに基づいて、複数の画素部７０において共通に所定電位に維持されることとなる。
【０１０９】
よって、図１１に示すように、各画素部７０では、第１基板１０上に形成された第１電極９ａと、複数の画素部７０に例えば共通に形成され且つ共通電位に維持される対向電極２１との間において、液晶保持容量１１８が形成される。
【０１１０】
従って、比較例に係る液晶装置によれば、各画素部７０において、第１の画素回路７１ａに不良が発生した場合、このような不良画素部７０では正常に画像表示を行うことができなくなるため、点欠陥が生じて、歩留りの低下を招く。また本実施形態の液晶装置と比較して、第２基板２０側では、画素部７０毎に、対向電極２１を駆動させることは不可能である。
【０１１１】
これに対して本実施形態では、上述したように、各画素部７０において、第２の画素回路７１ｂを冗長回路として機能させることができるため、回路的に歩留りの低下を解消し、歩留りを向上させることが可能となる。また、第１基板１０側における第１電極９ａに加えて、第２基板２０側においても、第２電極９ｂを、画素部７０毎に互いに独立して駆動させることが可能である。よって、画素部７０毎に、第１及び第２電極９ａ及び９ｂの各々の電位差に基づく、電気光学物質の印加電圧を制御できる。その結果、比較例における液晶装置の構成と比較して、各画素部７０において駆動の自由度を大きくすることが可能となる。
【０１１２】
以上説明した本実施形態では、液晶パネル１００において、各第２電極９ｂは、第１電極９ａと共に、第１基板１０上の画像表示領域１０ａに、画素部７０毎に形成されてもよい。或いは、例えば、液晶パネル１００における複数の画素部７０のうち一部について、第１電極９ａ及び第２電極９ｂが、図１から図６を参照して説明したように、第１基板１０及び第２基板２０のうち別々の基板に形成されると共に、他の画素部７０については、第１基板１０及び第２基板２０のいずれか一方上に、第１電極９ａ及び第２電極９ｂが形成されるようにしてもよい。更には、各画素部７０において、第２の画素回路７１ｂは、第１基板１０及び第２基板２０のうち、第２電極２０が形成された基板と異なる基板上に形成されてもよい。この場合、各画素部７０において、第１の画素回路７１ａと第２の画素回路７１ｂとが同一の基板上に形成されるようにしてもよい。
【０１１３】
ここで、第１基板１０及び第２基板２０のうち、第１電極９ａ及び第２電極９ｂが同一の基板上に形成されている場合には、第１電極９ａ及び第２電極９ｂ間の電位差に起因して、横電界が優先的に生じ、液晶に印加電圧が印加される。
【０１１４】
＜１−４:変形例＞
以上説明した本実施形態に係る変形例について、図１２を参照して説明する。ここに、図１２は、本変形例に係る液晶装置の全体構成を示すブロック図である。
【０１１５】
図１２において、不良情報格納部５００は、液晶パネル１００内に設けられる代わりに、画像信号処理回路３００内に設けられる。画像信号処理回路３００では、不良情報格納部５００に格納された不良セルデータに基づいて、第１画像信号Ｖ１及び第２画像信号Ｖ２を生成する。本実施形態に係る不良情報格納部５００は、例えば不揮発性の半導体メモリ等から構成されており、画像信号処理回路３００では、不良情報格納部５００内に格納された不良セルデータを適宜参照可能とされる。
【０１１６】
より具体的には、画像信号処理回路３００は、不良情報格納部５００内に格納された不良セルデータに基いて、不良画素部に画像信号を供給するための第２サンプリング信号Ｓｂｉが、第２データ線駆動回路１０１ｂから出力されるタイミングに同期させて、第２画像信号Ｖ２に代えて第１画像信号Ｖ１を、第２基板２０側の画像信号供給線１７１ｂに対して、供給する。これにより、液晶パネル１００において、第２基板２０側で、不良画素部に対応する第２走査線１１２ｂが、第２走査信号Ｇｂｊによって選択された状態で、第２サンプリング信号Ｓｂｉに応じて、第２サンプリング回路２００ｂの第２サンプリングスイッチ２０２ｂを介して、不良画素部に対応する第２データ線１１４ｂに、第１画像信号Ｖ１が供給される。
【０１１７】
また、画像信号処理回路３００は、不良情報格納部５００内に格納された不良セルデータに基いて、不良画素部に画像信号を供給するための第２サンプリング信号Ｓｂｉが、第２データ線駆動回路１０１ｂから出力されるタイミングに同期させて、第１画像信号Ｖ１に基づいて第２画像信号Ｖ２の電位を調整して、第２基板２０側の画像信号供給線１７１ｂに対して、供給するようにしてもよい。この場合には、画像信号供給線１７１ｂより、第２サンプリング回路２００ｂを介して、不良画素部に対応する第２データ線１１４ｂに、電位が調整された第２画像信号Ｖ２が供給され、更に第２データ線１１４ｂより、不良画素部の第２の画素回路７１ｂを介して、第２電極９ｂに第２画像信号Ｖ２が供給される。これにより、第１電極９ａおよび第２電極９ｂ間の電位差が所定値に調整される。
【０１１８】
よって、本変形例では、本実施形態と同様に、各画素部７０において、第２の画素回路７１ｂを冗長回路として機能させることができる。
【０１１９】
＜２：第２実施形態＞
次に、本発明の電気光学装置に係る第２実施形態について、図１３から図１７を参照して説明する。以下では、第２実施形態に係る電気光学装置について、第１実施形態と異なる構成や動作についてのみ、特に詳細に説明し、同様の構成や動作については重複する説明を省略すると共に、図１から図８を参照して説明することもある。
【０１２０】
第２実施形態では、電気光学装置の一例である液晶装置では、画像信号処理回路３００において、第１画像信号Ｖ１及び第２画像信号Ｖ２の各々の電位が、所定の基準電位に対して高位側の正極性（＋）、及び基準電位に対して低位側の負極性（−）に極性反転されて、出力される。また、第２実施形態では、第１実施形態で説明したような不良情報格納部は設けられず、各画素部７０では、第２基板２０側における第２の画素回路７１ｂは冗長回路として機能しないものとして、説明する。よって、この場合、第２基板２０側において、画像信号線１７１ｂには第２画像信号Ｖ２のみが、画像信号処理回路３００より供給される。
【０１２１】
図１３は、第２実施形態において、液晶装置を動作させるための各種信号の経時的変化を示すタイミングチャートを示す図である。以下では、特に、第（ｊ−１）番目と第ｊ番目とで選択される第１走査線１１２ａ及び、これら２本の第１走査線１１２ａに対応する第２走査線１１２ｂに、対応する画素部７０に着目して説明する。尚、第１実施形態と同様に、液晶においてノーマリーホワイトモードの表示が行われるものとする。
【０１２２】
図１３において、Ｙクロック信号ＣＬＹが、第（ｊ−１）番目の第１走査線１１２ａ及び第２走査線１１２ｂが選択される１水平期間の開始時に、ローレベルからハイレベルに立ち上がると、第１基板１０側において、第１走査信号Ｇａｊ−１が第１走査線駆動回路１０４ａから出力されて、第（ｊ−１）番目の第１走査線１１２ａに供給される。また、第１走査信号Ｇａｊ−１の出力タイミングに同期して、第２基板２０側における第（ｊ−１）番目の第２走査線１１２ｂにも、第２走査信号Ｇｂｊ−１が第２走査線駆動回路１０４ｂから供給される。
【０１２３】
また、画像信号処理回路３００において、この１水平期間の開始時において、４．５［Ｖ］を基準電位として、第１画像信号Ｖ１の電位は、基準電位に対して高位側の正極性（＋）に極性反転されると共に、第２画像信号Ｖ２の電位は基準電位に対して低位側の負極性（−）に極性反転される。そして、第（ｊ−１）番目の第１走査線１１２ａ及び第２走査線１１２ｂが選択される１水平期間において、第２画像信号Ｖ２の電位は２［Ｖ］に固定される。また、この第２画像信号Ｖ２の電位に対して、第１画像信号Ｖ１の電位は、画像信号供給期間において、各第１データ線１１４ａの電位を、第１データ線１１４ａ毎に調整可能なように、７［Ｖ］及び２［Ｖ］間のいずれかの値に調整される。
【０１２４】
そして、第（ｊ−１）番目の第１走査線１１２ａ及び第２走査線１１２ｂが選択された状態で、画像信号供給期間に、第１基板１０側において、Ｘクロック信号ＣＬＸのローレベルからハイレベルへの立ち上がり、或いはハイレベルからローレベルへの立ち下がりに同期して、第１サンプリング信号Ｓａ１、Ｓａ２、・・・、Ｓａｎ−２、Ｓａｎ−１、Ｓａｎが第１データ線駆動回路１０１ａから、順次出力されて、第１サンプリング回路２００ａに供給される。各第１データ線１１４ａには、第１サンプリング信号Ｓａ１、Ｓａ２、・・・、Ｓａｎ−２、Ｓａｎ−１、Ｓａｎの出力順序に応じて、第１サンプリングスイッチ２０２ａを介して順次第１画像信号Ｖ１が供給される。他方、第２基板２０側では、第２データ線駆動回路１０１ｂから、第２サンプリング信号Ｓｂ１、Ｓｂ２、・・・、Ｓｂｎ−２、Ｓｂｎ−１、Ｓｂｎが、第１サンプリング信号Ｓａ１、Ｓａ２、・・・、Ｓａｎ−２、Ｓａｎ−１、Ｓａｎの出力順序に従うと共に、各々の出力タイミングに同期して、順次出力されて、第２サンプリング回路２００ｂに供給される。各第２データ線１１４ｂには、第２サンプリング信号Ｓｂ１、Ｓｂ２、・・・、Ｓｂｎ−２、Ｓｂｎ−１、Ｓｂｎの出力順序に応じ、且つ第１データ線１１４ａへの第１画像信号Ｖ１の出力タイミングに同期して、第２サンプリングスイッチ２０２ｂを介して順次第２画像信号Ｖ２が供給される。
【０１２５】
その結果、第（ｊ−１）番目の第１走査線１１２ａ及び第２走査線１１２ｂに対応する画素部７０では夫々、第１電極９ａに、正極性の第１画像信号Ｖ１が供給されると共に、この第１画像信号Ｖ１の供給タイミングに同期して、第２電極９ｂに負極性の第２画像信号Ｖ２が供給される。その後、画像信号供給期間が終了した後、１水平期間が終了する。
【０１２６】
続いて、次の１水平期間が開始されると、Ｙクロック信号ＣＬＹが、ハイレベルからローレベルに立ち下がり、第ｊ番目の第１走査線１１２ａが、第１走査線駆動回路１０４ａから供給される第１走査信号Ｇａｊに基づいて、選択されると共に、第ｊ番目の第２走査線１１２ｂが、第２走査線駆動回路１０４ｂから供給される第２走査信号Ｇｂｊに基づいて、選択される。
【０１２７】
この１水平期間の開始時において、画像信号処理回路３００では、第１画像信号Ｖ１の電位は、基準電位に対して正極性から負極性に極性反転されると共に、第２画像信号Ｖ２の電位は、基準電位に対して負極性から正極性に極性反転される。そして、第ｊ番目の第１走査線１１２ａ及び第２走査線１１２ｂが選択される１水平期間において、第２画像信号Ｖ２の電位は７［Ｖ］に固定される。また、この第２画像信号Ｖ２の電位に対して、第１画像信号Ｖ１の電位は、画像信号供給期間において、各第１データ線１１４ａの電位を、第１データ線１１４ａ毎に調整可能なように、７［Ｖ］及び２［Ｖ］間のいずれかの値に調整される。
【０１２８】
第ｊ番目の第１走査線１１２ａ及び第２走査線１１２ｂが選択された状態で、画像信号供給期間に、Ｘクロック信号ＣＬＸのローレベルからハイレベルへの立ち上がり、或いはハイレベルからローレベルへの立ち下がりに同期して、第１サンプリング信号Ｓａ１、Ｓａ２、・・・、Ｓａｎ−２、Ｓａｎ−１、Ｓａｎが第１データ線駆動回路１０１ａから順次出力されると共に、第２サンプリング信号Ｓｂ１、Ｓｂ２、・・・、Ｓｂｎ−２、Ｓｂｎ−１、Ｓｂｎが第２データ線駆動回路１０１ｂから順次出力される。
【０１２９】
そして、各第１データ線１１４ａには、第１サンプリング信号Ｓａ１、Ｓａ２、・・・、Ｓａｎ−２、Ｓａｎ−１、Ｓａｎの出力順序に応じて、第１サンプリング回路２００ａを介して順次第１画像信号Ｖ１が供給される。また、各第２データ線１１４ｂには、第２サンプリング信号Ｓｂ１、Ｓｂ２、・・・、Ｓｂｎ−２、Ｓｂｎ−１、Ｓｂｎの出力順序に応じ、且つ第１データ線１１４ａへの第１画像信号Ｖ１の出力タイミングに同期して、第２サンプリング回路２００ｂを介して順次第２画像信号Ｖ２が供給される。
【０１３０】
よって、第ｊ番目の第１走査線１１２ａ及び第２走査線１１２ｂに対応する画素部７０では夫々、第１電極９ａに、負極性の第１画像信号Ｖ１が供給されると共に、この第１画像信号Ｖ１の供給タイミングに同期して、第２電極９ｂに正極性の第２画像信号Ｖ２が供給される。
【０１３１】
従って、この場合、コモン振り駆動と同様の駆動を行うことが可能となると共に、液晶装置において以下に説明するようなライン反転駆動を行うことができる。図１４（ａ）及び図１４（ｂ）には、ライン反転駆動を説明するための模式図を示してある。
【０１３２】
図１４（ａ）において、図１３を参照して説明したように各画素部７０を駆動する場合、任意の１垂直期間において、同一の第１走査線１１２ａに沿って配列された同一行の第１電極９ａの電位は同一の極性で駆動されると共に、相隣接する行では、第１電極９ａの電位は互いに異なる極性となるように駆動される。他方、各第２電極９ｂについても同様に、同一行の第２電極９ｂの電位は同一の極性で駆動されると共に、相隣接する行では、第２電極９ｂの電位は互いに異なる極性となるように駆動される。
【０１３３】
その後、時間軸上で連続する、次の１垂直期間では、図１４（ｂ）に示すように、各画素部７０において、行毎に、第１電極９ａの電位が基準電位に対して極性反転される。また、各第２電極９ｂの電位も、第１電極９ａと同期して、基準電位に対して極性反転される。そして、このように極性が反転された後も、互いに相隣接する行では、第１電極９ａは互いに異なる極性の電位に維持されると共に、第２電極９ｂも相隣接する行で互いに異なる極性の電位に維持される。
【０１３４】
ここで、図９から図１１を参照して説明した比較例の構成によれば、図１３を参照して説明した動作と同様にライン反転駆動を行う場合に、１水平期間毎に、共通電極電位ＬＣＣは基準電位に対して極性反転されて、第２電極たる対向電極２１に供給される。よって、この場合、第１電極９ａに対して第１画像信号Ｖ１が供給されている画素部７０以外の画素部７０では、対向電極２１の電位変動に伴って、プッシュアップ又はプッシュダウンにより、第１電極９ａの電位が第１画像信号Ｖ１に基づく値から変動する恐れがある。
【０１３５】
例えば、相隣接する行に属する画素部７０について、任意の１水平期間に、共通電極電位ＬＣＣは正極性側の７［Ｖ］で駆動されると共に、相隣接する行のうち一方に属する画素部７０では、各第１電極９ａに負極性の第１画像信号Ｖ１が供給される。その後、次の１水平期間に、共通電極電位ＬＣＣは負極性側の２［Ｖ］で駆動されると共に、相隣接する行のうち他方に属する画素部７０では、各第１電極９ａに正極性の第１画像信号Ｖ１が供給される。この際、既に第１画像信号Ｖ１の供給が終了した一方の行に属する画素部７０では夫々、対向電極２１の電位の変動に伴い、第１電極９ａの電位がプッシュダウンされて、第１画像信号Ｖ１に基づく値より低くなる。
【０１３６】
よって、仮に何らの対策も施さねば、各画素部７０では、第１ＴＦＴ１１６ａのソース側とドレイン側との間の電位差が、対向電極２１の電位変動に伴って大きくなる。加えて、対向電極２１の電位を極性反転させる際には、多量の電流を要するために、高速に安定して駆動することは困難である。
【０１３７】
また、仮に何らの対策も施さねば、各画素部７０では、第１電極９ａの電位が、正極性で駆動される場合と、負極性で駆動される場合とで、第１ＴＦＴ１１６ａの光リークの程度は異なる。その結果、各画素部７０では、１垂直期間毎に、光リークに伴って第１電極９ａ及び第２電極９ｂ間の電位差が変動し、更には液晶への印加電圧も変動する。その結果、フリッカが発生して画像表示の品質が劣化する。
【０１３８】
これに対して、第２実施形態によれば、各画素部７０において、第１及び第２電極９ａ及び９ｂの各々を駆動するための電流は、比較例における対向電極２１の駆動に要する電流と比較して、少なくすることができる。よって、各画素部７０で、第１及び第２電極９ａ及び９ｂの各々の電位を容易に安定させることが可能となり、高速に駆動することができる。
【０１３９】
また、各画素部７０では、個別に、第１及び第２電極９ａ及び９ｂの各々の電位差が制御されるため、第１電極９ａ及び第２電極９ｂの各々の極性反転のタイミングを同期させることができる。よって、各画素部７０では、第１電極９ａ及び第２電極９ｂの各々の電位が、これら第１電極９ａ及び第２電極の９ｂのうち他方の電位が変動しないため、プッシュアップ、或いはプッシュダウンすることがない。よって、比較例と比較して、各画素部７０において、第１の画素回路７１ａの第１ＴＦＴ１１６ａ、及び第２の画素回路７１ｂの第２ＴＦＴ１１６ｂの両方で、ソース−ドレイン間耐圧を小さくすることができる。
その結果、各画素部７０において、第１ＴＦＴ１１６ａ及び第２ＴＦＴ１１６ｂの両方を形成するための領域をより小さくすることが可能となり、微細化すると共に開口率を向上させることが可能となる。従って、液晶装置において、光の利用効率を高めて輝度を向上させると共に高精細な画像表示を行うことができる。
【０１４０】
ここで、図１５は、１垂直期間周期の第１電極及び第２電極の電位の経時的変化を表す図である。尚、図１５には、各画素部において黒表示を行う場合における、１垂直期間周期の第１電極９ａの電位Ｖｐｉｘ１及び第２電極９ｂの電位Ｖｐｉｘ２の経時的変化を示してある。
【０１４１】
第２実施形態では、各画素部７０では、第１電極９ａの電位を正極性で駆動する場合における第１ＴＦＴ１１６の光リークの程度と、第２電極９ｂの電位を正極性で駆動する場合における第２ＴＦＴ１１６ｂの光リークの程度とを、互いに同等とすることができる。
【０１４２】
より具体的には、図１５において、任意の画素部７０では、１垂直期間と同等の時間的な長さを有する期間において、例えば、第１電極９ａの電位Ｖｐｉｘ１が正極性で駆動されると共に、第２電極９ｂの電位Ｖｐｉｘ２が負極性で駆動される。この場合には、例えば、第２電極９ｂを駆動するための第２の画素回路７１ｂにおける第２ＴＦＴ１１６ｂの光リークの程度より大きいリークが、第１電極９ａを駆動するための第１の画素回路７１ａで第１ＴＦＴ１１６ａによって生じる。これにより、第１電極９ａの電位Ｖｐｉｘ１は、第２電極９ｂと比較して、大きく変動する。
【０１４３】
その後、第１電極９ａの電位Ｖｐｉｘ１が負極性で駆動されると共に、第２電極９ｂの電位Ｖｐｉｘ２が正極性で駆動されると、第２の画素回路７１ｂにおける第２ＴＦＴ１１６ｂによって、第１電極９ａの電位Ｖｐｉｘ１が正極性で駆動される場合の第１ＴＦＴ１１６ａと同程度の光リークが生じる。この際、第１の画素回路７１ａにおける第１ＴＦＴ１１６ａによって、第２電極９ｂの電位Ｖｐｉｘ２が負極性で駆動される場合の第２ＴＦＴ１１６ｂと同程度の光リークが生じる。
【０１４４】
よって、１垂直期間毎に、各画素部７０で第１電極９ａの電位と第２電極９ｂの電位との電位差が、これら第１及び第２電極９ａ及び９ｂの各々の極性反転に伴って、著しく変動するのを防止することが可能となる。これにより、各画素部７０で、液晶への印加電圧が１垂直期間毎に著しく変動するのを防止して、フリッカが発生するのを防止することが可能となる。
【０１４５】
従って、以上説明したような第２実施形態によれば、高品質な画像表示を行うことが可能となる。
【０１４６】
ここで、第２実施形態では、液晶装置において、面反転駆動が行われるようにしてもよい。図１６（ａ）から図１６（ｄ）には、面反転駆動を説明するための模式図を示してある。面反転駆動では、第１基板１０及び第２基板２０の各々の対向面上の画像表示領域１０ａに、マトリクス状に配列された複数の画素部７０において夫々、第１電極９ａの電位は、基準電位に対して正極性及び負極性のいずれかに、１垂直期間毎に極性反転される。
他方、各画素部７０において、第２電極９ｂの電位は、第１電極９ａと異なる極性となるように、基準電位に対して１垂直期間毎に極性反転される。
【０１４７】
即ち、図１６（ａ）に示すように、任意の１垂直期間が終了した状態において、複数の画素部７０において夫々、第１電極９ａは、同一の極性即ち正極性（＋）の電位に維持されている。他方、各画素部７０において、第２電極９ｂは、第１電極９ａと異なる極性である負極性（−）の電位に維持される。
【０１４８】
続いて、この任意の１垂直期間に、時間軸上で連続する次の１垂直期間が開始されると、図１６（ｂ）及び図１６（ｃ）に示すように、第１走査線１１２ａに沿う各行の第１電極９ａは、１水平期間毎に、第１画像信号Ｖ１に基づいて、正極性（＋）とは逆極性の負極性（−）の電位に線順次に極性反転される。他方、第２基板２０側において、第２走査線１１２ｂに沿う各行の第２電極９ｂは、第２画像信号Ｖ２に基づいて、対応する第１電極９ａの極性反転に夫々同期して、第１電極９ａとは異なる正極性（＋）の電位に線順次に極性反転される。
【０１４９】
そして、図１６（ｄ）に示すように、この１垂直期間が終了すると、複数の第１電極９ａは、共通に負極性（−）の電位に維持され、複数の第２電極９ｂは、共通に正極性（＋）の電位に維持される。
【０１５０】
よって、この場合、各画素部７０では、個別に、第１電極９ａ及び第２電極９ｂの各々の極性反転のタイミングを同期させることができる。また、各画素部７０で、１垂直期間毎に、第１電極９ａの電位と第２電極９ｂの電位との電位差が、これら第１及び第２電極９ａ及び９ｂの各々の極性反転に伴って、著しく変動するのを防止することが可能となる。
【０１５１】
或いは、第２実施形態では、液晶装置において、コモン振り駆動と同様の極性反転駆動に代えて、次のような他の極性反転駆動が行われるようにしてもよい。図１７は、他の極性反転駆動に係る第１及び第２画像信号の信号波形を示す図である。尚、以下では、図１３及び図１４を参照して説明した動作と同様に、液晶装置においてライン反転駆動が行われる場合について、第（ｊ−１）番目と第ｊ番目とで選択される第１走査線１１２ａ及び、これら２本の第１走査線１１２ａに対応する第２走査線１１２ｂに、対応する画素部７０に着目して説明する。
【０１５２】
図１７に示すように、互いに連続する水平期間の一方では、画像信号処理回路３００では、この１水平期間の開始時において、７［Ｖ］を基準電位として、第１画像信号Ｖ１の電位は、基準電位に対して高位側の正極性（＋）に極性反転されると共に、第２画像信号Ｖ２の電位は基準電位である７［Ｖ］に固定される。そして、この第２画像信号Ｖ２の電位に対して、第１画像信号Ｖ１の電位は、画像信号供給期間において、各第１データ線１１４ａの電位を、第１データ線１１４ａ毎に調整可能なように、７［Ｖ］及び１２［Ｖ］間のいずれかの値に調整される。
【０１５３】
これにより、第（ｊ−１）番目の第１走査線１１２ａ及び第２走査線１１２ｂに対応する画素部７０では夫々、第１電極９ａに、正極性の第１画像信号Ｖ１が供給されると共に、この第１画像信号Ｖ１の供給タイミングに同期して、第２電極９ｂの電位は、第２画像信号Ｖ２に基づいて基準電位に固定される。
【０１５４】
続いて、この１水平期間に連続する次の１水平期間では、画像信号処理回路３００では、第２画像信号Ｖ２の電位を基準電位に固定したまま、第１画像信号Ｖ１の電位を、基準電位に対して正極性から負極性に極性反転する。そして、画像信号供給期間において、第２画像信号Ｖ２の電位に対して、第１画像信号Ｖ１の電位は、各第１データ線１１４ａの電位を、第１データ線１１４ａ毎に調整可能なように、２［Ｖ］及び７［Ｖ］間のいずれかの値に調整される。
【０１５５】
これにより、第ｊ番目の第１走査線１１２ａ及び第２走査線１１２ｂに対応する画素部７０では夫々、第１電極９ａに、負極性の第１画像信号Ｖ１が供給されると共に、この第１画像信号Ｖ１の供給タイミングに同期して、第２電極９ｂの電位は、第２画像信号Ｖ２に基づいて基準電位に固定される。
【０１５６】
図１６又は図１７に説明したように液晶装置が駆動される場合も、各画素部７０において、第１及び第２電極９ａ及び９ｂの各々を駆動するための電流は、比較例における対向電極２１の駆動に要する電流と比較して、少なくすることができる。よって、各画素部７０で、第１及び第２電極９ａ及び９ｂの各々の電位を容易に安定させることが可能となり、高速に駆動することができる。
【０１５７】
ここで、図１７に示すように、各画素部７０で第２電極９ｂの電位を所定電位に固定する場合には、図１３及び図１４を参照して説明したようにコモン振り駆動と同様の駆動を行う場合と比較して、正極性と負極性とで第１画像信号Ｖ１の電位差は大きくなる。よって、この場合、第１基板１０側において、第１データ線駆動回路１０１ａ等を含む周辺回路を駆動するための電源電圧も大きくなり、周辺回路では、各種回路素子の耐圧も大きくする必要があると共に、消費電力も大きくなる。
【０１５８】
＜３；電子機器＞
次に、上述した液晶装置を各種の電子機器に適用する場合について説明する。
【０１５９】
＜３−１：プロジェクタ＞
まず、この液晶装置をライトバルブとして用いたプロジェクタについて説明する。図１８は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【０１６０】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１６１】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【０１６２】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１６３】
＜３−２：モバイル型コンピュータ＞
次に、液晶装置を、モバイル型のパーソナルコンピュータに適用した例について説明する。図１９は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【０１６４】
＜３−３；携帯電話＞
さらに、液晶装置を、携帯電話に適用した例について説明する。図２０は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１６５】
尚、図１８から図２０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１６６】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【０１６７】
【図１】第１基板側において、液晶パネルの概略的な構成を示す平面図である。
【図２】図１におけるＨ−Ｈ'部分に相当する液晶パネルの断面図である。
【図３】液晶装置の全体構成を示すブロック図である。
【図４】第１基板側の電気的な構成を示すブロック図である。
【図５】第２基板側の電気的な構成を示すブロック図である。
【図６】任意の画素部の電気的な構成を示す図である。
【図７】液晶装置を動作させるための各種信号の経時的変化を示すタイミングチャートを示す図である。
【図８】不良情報格納部の構成及び動作について模式的に示す図である。
【図９】比較例に係る液晶パネルの概略的な平面図である。
【図１０】比較例に係る液晶パネルにおいて、図２に対応する断面部分の構成を示す断面図である。
【図１１】比較例に係る任意の画素部の電気的な構成を示す図である。
【図１２】本変形例に係る液晶装置の全体構成を示すブロック図である。
【図１３】第２実施形態において、液晶装置を動作させるための各種信号の経時的変化を示すタイミングチャートを示す図である。
【図１４】図１４（ａ）及び図１４（ｂ）は、ライン反転駆動を説明するための模式図である。
【図１５】１垂直期間周期の第１電極及び第２電極の電位の経時的変化を表す図である。
【図１６】図１６（ａ）から図１６（ｄ）は、面反転駆動を説明するための模式図である。
【図１７】他の極性反転駆動に係る第１及び第２画像信号の信号波形を示す図である。
【図１８】液晶装置を適用した電子機器の一例たるプロジェクタの構成を示す平面図である。
【図１９】液晶装置を適用した電子機器の一例たるパーソナルコンピュータの構成を示す斜視図である。
【図２０】液晶装置を適用した電子機器の一例たる携帯電話の構成を示す斜視図である。
【符号の説明】
【０１６８】
９ａ…第１電極、９ｂ…第２電極、１０…第１基板、１０ａ…画像表示領域、２０…第２基板、７０…画素部、７１ａ…第１の画素回路、７１ｂ…第２の画素回路、１１６ａ…第１ＴＦＴ、１１６ｂ…第２ＴＦＴ
【図１】
2007140479.tif 000003
【図２】
2007140479.tif 000004
【図３】
2007140479.tif 000005
【図４】
2007140479.tif 000006
【図５】
2007140479.tif 000007
【図６】
2007140479.tif 000008
【図７】
2007140479.tif 000009
【図８】
2007140479.tif 000010
【図９】
2007140479.tif 000011
【図１０】
2007140479.tif 000012
【図１１】
2007140479.tif 000013
【図１２】
2007140479.tif 000014
【図１３】
2007140479.tif 000015
【図１４】
2007140479.tif 000016
【図１５】
2007140479.tif 000017
【図１６】
2007140479.tif 000018
【図１７】
2007140479.tif 000019
【図１８】
2007140479.tif 000020
【図１９】
2007140479.tif 000021
【図２０】
2007140479.tif 000022